(57)【要約】【課題】  質量の小さい微細な異物を弁口の手前で捕捉できるようにする。【解決手段】  弁本体４で入口１０と出口１１を形成し、入口１０と出口１１を連通する弁口１２を形成した弁座部材１３を弁本体４に取り付け、弁座部材１３に離着座して弁口１２を開閉する弁体１４を配置し、弁体１４を開閉操作する弁軸１５を弁体１４に連結し、弁口１２の入口１０側に円筒状の隔壁２１を設け、隔壁２１の外側に旋回羽根２４を設け、旋回羽根２４の上方に入口１０を連結し、旋回羽根２４の下方に液溜室３４を形成し、隔壁２１の内側に流体をろ過するフィルター３２を配置する。【選択図】      図１
2007303633.tif 000002
【特許請求の範囲】
【請求項１】
弁ケーシングで入口と出口を形成し、入口と出口を連通する弁口を形成した弁座部材を弁ケーシングに取り付け、弁座部材に離着座して弁口を開閉する弁体を配置し、弁体を開閉操作する弁軸を弁体に連結し、弁口の入口側に円筒状の隔壁を設け、隔壁の外側に旋回羽根を設け、旋回羽根の上方に入口を連結し、旋回羽根の下方に液溜室を形成したものにおいて、隔壁の内側に流体をろ過するフィルターを配置したことを特徴とする気液分離器を備えた弁。
【発明の詳細な説明】
【技術分野】
【０００１】
本発明は、蒸気や圧縮空気等の気体配管系に取り付けて、気体の流れを閉止したり制御したりするための弁に関し、特に、弁の内部に気液分離器を一体に備えて気体中に混入している液体を分離できるものに関する。
【背景技術】
【０００２】
従来の気液分離器を備えた弁は、弁ケーシングで入口と出口を形成し、入口と出口を連通する弁口を形成した弁座部材を弁ケーシングに取り付け、弁座部材に離着座して弁口を開閉する弁体を配置し、弁体を開閉操作する弁軸を弁体に連結し、弁口の入口側に円筒状の隔壁を設け、隔壁の外側に旋回羽根を設け、旋回羽根の上方に入口を連結し、旋回羽根の下方に液溜室を形成したものである。
【０００３】
上記従来の気液分離器を備えた弁は、入口から流入する流体を隔壁の外側の旋回羽根で旋回せしめ、遠心力の作用で質量の大きい液体と異物を外側に振り出して下方の液溜室に流下せしめ、質量の小さい気体のみを隔壁の下端開口から上方の弁口に向かわせ、弁体で気体の流れを閉止したり制御したりするものである。しかしながら、質量の小さい微細な異物が気体と共に弁口に向かってしまうために、この異物が弁体と弁座部材の間に噛み込みシール性能が低下する問題点があった。
【特許文献１】特開２００５−２５７０４３
【発明の開示】
【発明が解決しようとする課題】
【０００４】
解決しようとする課題は、質量の小さい微細な異物を弁口の手前で捕捉できるようにすることである。
【課題を解決するための手段】
【０００５】
本発明は、弁ケーシングで入口と出口を形成し、入口と出口を連通する弁口を形成した弁座部材を弁ケーシングに取り付け、弁座部材に離着座して弁口を開閉する弁体を配置し、弁体を開閉操作する弁軸を弁体に連結し、弁口の入口側に円筒状の隔壁を設け、隔壁の外側に旋回羽根を設け、旋回羽根の上方に入口を連結し、旋回羽根の下方に液溜室を形成したものにおいて、隔壁の内側に流体をろ過するフィルターを配置したことを特徴とする。
【発明の効果】
【０００６】
本発明は、質量の小さい微細な異物を弁口の入口側のフィルターで捕捉できるので、弁体と弁座部材のシール性能が低下することがないという優れた効果を生じる。
【発明を実施するための最良の形態】
【０００７】
本発明の気液分離器を備えた弁は、弁口の入口側に設けた隔壁の内側に流体をろ過するフィルターを配置したものである。そのため、質量の小さい微細な異物を弁口の入口側のフィルターで捕捉できる。そのため、異物が弁体と弁座部材の間に噛み込むことがなく、弁体と弁座部材のシール性能が低下することがない。
【実施例１】
【０００８】
上記の技術的手段の具体例を示す実施例を説明する（図１参照）。本実施例は調節弁１に気液分離器２と自動排液弁３を組み合わせたものである。弁ケーシングは弁本体４と、仕切部材５を間に挟んで弁本体４に締結される上蓋６と、仕切部材５と上蓋６を弁本体４に締結する上蓋フランジ７と、弁本体４に締結する排液弁本体８と、排液弁本体８に締結する下蓋９とから形成する。弁本体４に入口１０と出口１１を形成する。入口１０と出口１１を連通する弁口１２を形成した弁座部材１３を弁本体４の横断壁にねじ結合する。弁座部材１３に離着座して弁口１２を開閉する弁体１４を弁口１２の出口１１側に配置する。弁体１４を開閉操作する弁軸１５を弁体１４の出口側に一体に形成する。弁体１４の弁座部材１３とのシート面１６の内側に弁体１４の中心軸の回りに回転対象に下方に向かって小径となる円柱突起１７を形成する。弁口１２の中心軸と弁体１４及び弁軸１５の中心軸は同一軸上に形成する。弁軸１５の上部は仕切部材５と上蓋６を貫通して突出する。弁軸１５と上蓋６の間にコイルバネ１８とパッキング１９を配置し、上蓋６にパッキング押え２０をねじ結合する。
【０００９】
排液弁本体８の上面内端に二重のほぼ円筒形状の隔壁２１を載せ、隔壁２１を弁本体４との間で固定する。隔壁２１は弁口１２の入口１０側に位置する。隔壁２１の外側円筒は真直ぐな形状で内側円筒よりも低く形成する。外側円筒は省略して弁本体４で兼用することもできる。隔壁２１の内側円筒は上端部が上方に向かって緩やかに拡がり、下端部が下方に向かって緩やかに拡がった形状である。隔壁２１の中心軸は弁口１２の中心軸と同一軸上に形成する。隔壁２１の外側円筒の上面にテーパー状のスクリーン２２を載せ、隔壁２１の内側円筒の上端外周との間で固定する。スクリーン２２は流体中の大粒の異物を補足する。隔壁２１の内外円筒の間に形成される環状空間２３に、隔壁２１と一体に旋回羽根２４を形成する。入口１０はスクリーン２２を通して下方の環状空間２３に連結し、隔壁２１の内側円筒の内側は上方の弁口１２に連結する。隔壁２１の内側に長尺円筒状の中空フィルター３２を配置する。フィルター３２は上端を弁座部材１３に溶接により固定し、下端にプラグ３３を溶接により固定して閉止状態とする。フィルター３２は多数の微細な貫通孔を有し、隔壁２１の下端から内側上方の弁口１２へ向かう微細な異物を補足する。フィルター３２の粒度は２マイクロから１０マイクロ程度が好適である。フィルター３２の下端は隔壁２１の下端よりも下方に位置する。
【００１０】
フィルター３２の下方に液溜室３４を形成し、自動排液弁としての中空球形の弁フロート２５を配置する。弁フロート２５は液位に応じて浮上降下して排液弁口２６を開閉し、液体を排液口２７から系外に排出する。弁フロート２５を逆カップ状のカバー２８で覆う。カバー２８は上部が半球状で周囲が円筒状であり、下端に外側に突出した足２９を有し、足２９を下蓋９に締結する。カバー２８は下端に内外を連通する通液開口３０を有し、上部に内外を連通する２つの通気孔３１を有する。
【００１１】
入口１０から流入した流体はスクリーン２２により大粒の異物が捕捉された後、環状空間２３に流入し旋回羽根２４で旋回せしめられる。気体中の液滴と中程度の異物は遠心力の作用で外側に振り出されて分離される。分離された液滴と中程度の異物は排液弁本体８の内周壁に沿って流下し、液滴が弁フロート２５の浮上降下によって開閉される排液弁口２６を通して排液口２７から系外に排出される。液滴の分離された気体と微細な異物は隔壁２１の内側円筒の下端からフィルター３２に向かう。微細な異物はフィルター３２で捕捉され、フィルター３２の外周に沿って液溜室３４に流下する。フィルター３２を通過した気体は弁口１２に向かう。
【図面の簡単な説明】
【００１２】
【図１】本発明の気液分離器を備えた弁の断面図。
【符号の説明】
【００１３】
１  調節弁
２  気液分離器
３  自動排液弁
４  弁本体
６  上蓋
８  排液弁本体
９  下蓋
１０  入口
１１  出口
１２  弁口
１３  弁座部材
１４  弁体
１５  弁軸
２１  隔壁
２３  環状空間
２４  旋回羽根
２５  弁フロート
２６  排液弁口
２７  排液口
３２  フィルター
【図１】
2007303633.tif 000003